(57)【要約】【課題】  放送局側のシステムとは独立的に、テレビ放送に関連した興趣性の高い機能やそれに付随するサービス提供を行うことの出来るデジタル放送受信装置、並びに、デジタル放送サービスシステムを提供する。【解決手段】  放送信号に含まれる番組表情報からクイズ問題を生成するクイズ問題生成手段と、前記クイズ問題を出力して解答の入力処理と結果出力とを行うクイズ出題手段と、該クイズ出題手段により出題されたクイズ問題に関する情報と入力処理された解答結果に関する情報とを外部サーバ５０へ送信する通信手段と、該通信手段を介して外部サーバ５０から受信した情報を映像として前記クイズ出題手段によるクイズ出題処理中の画面に出力する情報出力手段とを備えたデジタル放送受信装置１である。外部サーバ５０では、上記の送信情報からユーザの嗜好を推定し、その嗜好に応じた個人向けサービス情報をデジタル放送受信装置１へ送信するようになっている。【選択図】        図２
2006245971.tif 000002
【特許請求の範囲】
【請求項１】
デジタルの放送信号を受信して映像信号と音声信号とを復調するデジタル放送受信装置において、
前記放送信号により伝送され複数の放送番組の情報が含まれる番組表情報を復調する伝送情報復調手段と、
復調した前記番組表情報からクイズ問題を生成するクイズ問題生成手段と、
前記クイズ問題を出力して解答の入力処理と結果出力とを行うクイズ出題手段と、
該クイズ出題手段により出題されたクイズ問題に関する情報と入力処理された解答結果に関する情報とを外部のサーバコンピュータへ送信する通信手段と、
前記通信手段を介して外部のサーバコンピュータから受信した情報を映像として前記クイズ出題手段によるクイズ出題処理中の画面に出力する情報出力手段と、
ユーザの嗜好を表わす第１データが入力されることに基づきユーザの嗜好にあった放送番組の情報出力を行うお好み番組情報出力手段とを備え、
前記通信手段を介して外部のサーバコンピュータから上記第１データが入力可能に構成されていることを特徴とするデジタル放送受信装置。
【請求項２】
デジタルの放送信号を受信して映像信号と音声信号とを復調するデジタル放送受信装置において、
前記放送信号により伝送され複数の放送番組の情報が含まれる番組表情報を復調する伝送情報復調手段と、
復調した前記番組表情報からクイズ問題を生成するクイズ問題生成手段と、
前記クイズ問題を出力して解答の入力処理と結果出力とを行うクイズ出題手段と、
該クイズ出題手段により出題されたクイズ問題に関する情報と入力処理された解答結果に関する情報とを外部のサーバコンピュータへ送信する通信手段と、
を備えたことを特徴とするデジタル放送受信装置。
【請求項３】
前記通信手段を介して外部のサーバコンピュータから受信した情報を映像信号に変換して出力する情報出力手段を備えたことを特徴とする請求項２記載のデジタル放送受信装置。
【請求項４】
前記映像出力手段は、前記クイズ出題手段によるクイズ出題処理中の画面に前記情報を出力するように構成されていることを特徴とする請求項３記載のデジタル放送受信装置。
【請求項５】
ユーザの嗜好を表わす第１データが入力されることに基づきユーザの嗜好にあった放送番組の情報出力を行うお好み番組情報出力手段を備え、
前記通信手段を介して外部のサーバコンピュータから上記第１データが入力可能に構成されていることを特徴とする請求項２〜４の何れかに記載のデジタル放送受信装置。
【請求項６】
デジタルの放送信号を受信して映像信号と音声信号とを復調するとともに、前記放送信号により伝送され複数の放送番組の情報が含まれる番組表情報を復調する伝送情報復調手段、復調した前記番組表情報からクイズ問題を生成するクイズ問題生成手段、前記クイズ問題を出力して解答の入力処理と結果出力とを行うクイズ出題手段、前記クイズ出題手段により出題されたクイズ問題に関する情報と入力処理された解答結果に関する情報とを外部へ送信する通信手段、および、前記通信手段を介して外部から受信した情報を映像信号に変換して出力する情報出力手段を有するデジタル放送受信装置と、
前記通信手段を介して前記クイズ問題に関する情報と入力処理された解答結果に関する情報とを受信するデータ受信手段、受信したこれらの情報からユーザの嗜好を推定する嗜好推定手段、および、推定した嗜好に応じたサービス情報を前記デジタル放送受信装置へ送信するデータ送信手段を有するサーバコンピュータと、
を備えることを特徴とするデジタル放送サービスシステム。
【発明の詳細な説明】
【技術分野】
【０００１】
この発明は、デジタルの放送信号を受信して映像信号と音声信号とを復調するデジタル放送受信装置、並びに、このデジタル放送受信装置とデータ通信をしてサービス提供を行うデジタル放送サービスシステムに関する。
【背景技術】
【０００２】
デジタル放送では、映像データや音声データを含む放送信号の中に時事ニュース、天気予報、テレビ番組表の情報など種々のデータを挿入してデータ放送を行っている。
【０００３】
また、デジタル放送受信機と放送局との間で双方向データ通信を行って、種々の興趣性のあるサービスを行うことも提案されている。
【０００４】
例えば、特許文献１では、スポーツ番組の放送中にスポーツ選手に関係するゲームのデータを端末に送ることで、ユーザが全国の視聴者とゲームで競いながらスポーツ番組を楽しむことの出来るサービスが提案されている。
【０００５】
特許文献２では、ユーザの嗜好を表わした情報を双方向サーバに送信し、それによりユーザに適したサービス情報を端末に送るようにしたサービスが提案されている。
【特許文献１】特開２００４−２７４４５５号公報
【特許文献２】特開２００４−１９３８５６号公報
【発明の開示】
【発明が解決しようとする課題】
【０００６】
本発明者らは、デジタル放送受信装置に付加価値をつけるために、上記のようなデータ放送、特にテレビ番組表の情報を利用して興趣性のある機能を提供できないか検討した。また、このような機能に付随させて各々のユーザの嗜好に合ったサービスの提供ができないか検討した。
【０００７】
また、上記従来の技術では、サービス提供を行うために放送局のシステムと何らかの接続を要しているが、本発明者らはデジタル放送受信装置に付加価値を付加することを主眼としているため、サービス提供のために放送局のシステムと接続を要することがなく、放送局のシステム改変を要することが無い方法でサービス提供を行いたいと考えた。また、放送受信装置に付加する付加価値なのでテレビ放送に絡ませた内容のサービス提供を行いたいと考えた。
【０００８】
この発明の目的は、放送されているテレビ番組表の情報を有効活用することで、放送局側のシステムとは独立的に、テレビ放送に関連した興趣性の高い機能やそれに付随するサービス提供を行うことの出来るデジタル放送受信装置、並びに、デジタル放送サービスシステムを提供することにある。
【課題を解決するための手段】
【０００９】
本発明は、上記目的を達成するため、デジタルの放送信号を受信して映像信号と音声信号とを復調するデジタル放送受信装置において、前記放送信号により伝送され複数の放送番組の情報が含まれる番組表情報を復調する伝送情報復調手段と、復調した前記番組表情報からクイズ問題を生成するクイズ問題生成手段と、前記クイズ問題を出力して解答の入力処理と結果出力とを行うクイズ出題手段と、該クイズ出題手段により出題されたクイズ問題に関する情報と入力処理された解答結果に関する情報とを外部のサーバコンピュータへ送信する通信手段と、を備えた構成とした。
【００１０】
このような手段によれば、クイズ出題手段によりユーザはその時々の放送番組に関連したクイズ問題を楽しむことが出来る。さらに、これらのクイズ問題は、放送信号により元々伝送されている番組表情報を用いて自動生成されるものなので、放送局側のシステムに接続したり放送局側のシステムを改変する必要がない。さらに、このクイズの結果集計を外部サーバに送ることで、正解が多いものはユーザの嗜好が高いものとしてユーザの嗜好の傾向を推定することが出来る。そして、このユーザ嗜好の推定により、サーバから個々のユーザの嗜好に合った種々のサービス提供を実現することができる。また、このサービス提供は放送局から独立して行うことが出来る。
【００１１】
さらに、本発明のデジタル放送受信装置は、前記通信手段を介して外部のサーバコンピュータから受信した情報を映像信号に変換して出力する情報出力手段を備える構成とすると良い。これにより、外部からのサービス提供をテレビ受像機等に表示出力する形態で行うことが可能となる。
【００１２】
具体的には、前記映像出力手段は、前記クイズ出題手段によるクイズ出題処理中の画面に前記情報を出力するように構成すると良い。これにより、クイズ問題の出題からサービス情報の提供までを、クイズ出題処理という一つの処理の枠内で行うことが出来る。
【００１３】
また具体的には、ユーザの嗜好を表わす第１データが入力されることに基づきユーザの嗜好にあった放送番組の情報出力を行うお好み番組情報出力手段を備え、前記通信手段を介して外部のサーバコンピュータから上記第１データが入力可能な構成にすると良い。
【００１４】
この構成により、ユーザはクイズ問題に答えるだけで、ユーザの嗜好に合わせた放送番組の情報閲覧をすることが出来るので大変便利である。
【００１５】
また、本発明のデジタル放送サービスシステムは、デジタルの放送信号を受信して映像信号と音声信号とを復調するとともに、前記放送信号により伝送され複数の放送番組の情報が含まれる番組表情報を復調する伝送情報復調手段、復調した前記番組表情報からクイズ問題を生成するクイズ問題生成手段、前記クイズ問題を出力して解答の入力処理と結果出力とを行うクイズ出題手段、前記クイズ出題手段により出題されたクイズ問題に関する情報と入力処理された解答結果に関する情報とを外部へ送信する通信手段、および、前記通信手段を介して外部から受信した情報を映像信号に変換して出力する情報出力手段を有するデジタル放送受信装置と、前記通信手段を介して前記クイズ問題に関する情報と入力処理された解答結果に関する情報とを受信するデータ受信手段、受信したこれらの情報からユーザの嗜好を推定する嗜好推定手段、および、推定した嗜好に応じたサービス情報を前記デジタル放送受信装置へ送信するデータ送信手段を有するサーバコンピュータと、を備えるものである。
【００１６】
このような手段によれば、元々放送されている番組表情報を用いてクイズ問題を作成し、そのクイズ問題や解答結果の情報をサービス提供者のサーバコンピュータに送るようにすることで、サービス提供者のシステムを放送局側のシステムに接続したり、放送局側のシステムを改変することなく、サーバコンピュータからデジタル放送受信装置へ、その時々に放送されているテレビ番組に絡ませつつユーザの嗜好に合わせたサービス提供を行うことが出来る。
【発明の効果】
【００１７】
以上説明したように、本発明に従うと、元々放送されている番組表情報を有効活用して、その時々に放送されるテレビ番組に関連したクイズ問題を出題するといった興趣性のある機能を提供したり、そのクイズ問題や解答結果の情報を外部のサーバコンピュータに送信することで、外部のサーバコンピュータでユーザの嗜好を判断し、サーバコンピュータからデジタル放送受信装置を介してユーザへ、その時々に放送されるテレビ番組に関連しつつユーザの嗜好に合わせたサービス情報の提供を行うことが出来るという効果がある。
【００１８】
また、サービス提供者のシステムを放送局側のシステムに接続したり、放送局側のシステムを改変することなく、上記の作用を実現できるという効果がある。
【発明を実施するための最良の形態】
【００１９】
図１は、本発明の実施の形態のデジタル放送受信装置の全体構成を示すブロック図である。
【００２０】
この実施の形態のデジタル放送受信装置１は、例えば地上デジタルの放送信号を受信して映像信号や音声信号を復調しテレビ受像装置等へ出力する装置であり、受信アンテナＡＮ１に接続され放送信号の中から所望の放送信号を選択的に受信するチューナ１０と、受信した放送信号から映像データ、音声データ、時事ニュースや番組表などのデータ放送用のデータを復調してそれぞれ分離出力する伝送情報復調手段としてのデマルチプレクサ１１と、復調された映像データを映像信号に復号するビデオデコーダ１２と、復調された音声データを音声信号に復号する音声デコーダ１３と、装置の全体的な制御を行うＣＰＵ（中央演算処理装置）２０と、デマルチプレクサ１１からのデータ放送用のデータを一時記憶したりＣＰＵ２０の作業用メモリ空間を提供するＲＡＭ（Random Access Memory）２１と、ＣＰＵ２０により実行される制御プログラムや制御データ並びにクイズ作成用の内部データベースが格納される不揮発性メモリ２２と、ユーザからの操作入力を受け付ける操作パネル２３と、例えばコンピュータネットワークを介して外部のサーバコンピュータとデータ通信可能な状態に接続する通信手段としてのネットワーク接続部２４、リモコンからの信号を入力するリモコン受光部２５と、複数の操作ボタンを有しユーザからの操作入力を受け付けるリモコン２６等を備えている。
【００２１】
これらのうち、ＣＰＵ２０が不揮発性メモリ２２に格納されている制御プログラムを実行することでクイズ問題生成手段、クイズ出題手段、情報出力手段、お好み番組情報出力手段を実現するようになっている。
【００２２】
図２には、デジタル放送受信装置１にテレビ放送と情報サービスの提供を行うためのシステム構成図を示す。
【００２３】
この実施の形態のデジタル放送受信装置１は、放送局４０から送られるデジタルの放送信号を受信して放送番組の映像信号や音声信号を復調してテレビ受像装置３０へ出力可能であるとともに、放送信号に含まれるデータ放送の信号を受信して時事ニュース、天気予報、番組表などのデータ放送情報をテレビ受像機３０へ出力可能になっている。
【００２４】
また、デジタル放送受信装置１は、ネットワーク接続部２４を介して、外部サーバ（サーバコンピュータ）５０へ接続可能とされ、外部サーバ５０との間でデータ通信を行うことが可能になっている。外部サーバ５０は、放送局４０から独立したサービス提供者により運営がなされ、外部サーバ５０と放送局４０との間で通信等を行う必要がない構成となっている。
【００２５】
次に、この実施の形態のデジタル放送受信装置１に備わるクイズ出題機能の動作について図３の画像図と図４のフローチャートとを参照して説明する。
【００２６】
図３は、実施の形態のデジタル放送受信装置においてクイズ出題機能中の表示画面の一例を示す画像図、図４は、ＣＰＵ２０により実行されるクイズ出題機能の実行処理手順を示すフローチャートである。
【００２７】
この実施の形態のデジタル放送受信装置１においては、例えば、リモコン２６や操作パネル２３にあるメニューボタンを押してメニュー表示を行わせた後、このメニュー表示の中にある「面白データクイズ」の項目を選択決定することで、クイズ出題機能の実行処理である図４の番組表面白ゲーム処理が開始される。
【００２８】
番組表面白ゲーム処理が開始されると、先ず、図３（ａ）に示すように、「番組表面白データクイズ」などの表題を有する初期画面がディスプレーに表示される（ステップＳ１）。次いで、画面右下の範囲に「進む（右矢印キー）」と「終了（停止キー）」の表示がなされるので（ステップＳ２）、ここでユーザが右矢印キーを押すと、図３（ｂ），（ｃ）に示すようなクイズ問題が出題されてユーザの解答の入力待ちとなる（ステップＳ３）。一方、停止キーが押されるとそのままこの番組表面白ゲーム処理は終了する。
【００２９】
クイズ問題は、問題文と解答の選択肢からなる択一問題であり、ユーザはリモコン２６の４色ボタンを用いて選択肢「Ａ〜Ｃ」のうち正解だと思う選択肢を指定することで解答の入力を行う。選択肢「Ａ〜Ｃ」は文字の色（又は文字の背景色）が赤緑黄色などリモコン２６の色ボタンに対応した色付けがされており、ユーザはこれらの対応した色ボタンを押すことで対応する選択肢を指定することが出来る。
【００３０】
そして、何れかの選択肢が指定されると、ＣＰＵ２０によりその選択肢が正解か否か判定されて（ステップＳ４）、正解であれば例えば「おめでとう」など正解を表わす表示が行われ（ステップＳ５）、不正解であれば例えば「残念」など不正解を表わす表示が行われる（ステップＳ６）。
【００３１】
次いで、ゲーム開始からの結果集計を行って（ステップＳ７）、再び、ゲームを続けるか終了するかユーザの意思確認をするべく画面右下の範囲に「進む（右矢印キー）」と「終了（停止キー）」の表示を行ってユーザからの入力を待つ（ステップＳ８）。そして、ユーザが右矢印キーを押すと、次のクイズ問題の出題が行われて（ステップＳ３）先の処理が繰り返えされる。一方、ユーザが停止キーを押すと、例えば「１０問中８問正解」など、ゲーム開始からこれまでの結果表示が一定時間なされた後（ステップＳ９）、この番組表面白ゲームが終了されて例えば元のメニュー画面へと戻る。
【００３２】
なお、所定数のクイズ問題が出題されたら、ユーザの操作に拘らず、ステップＳ９に移行してゲームが終了されるように構成してもよい。
【００３３】
次に、番組表データと不揮発性メモリ２２に格納されている内部データベースＤＢとを用いてＣＰＵ２０により実行されるクイズ問題の作成処理について説明する。
【００３４】
図５には、番組表データと内部データベースとからクイズを作成する方法の説明図を示す。
【００３５】
放送信号により送られてくる番組表データにおいては、各番組の放送局、放送時間、ジャンル、およびタイトルは、予め定められている識別子により識別可能なものになっている。番組表データには、その他、各番組の簡単な説明がテキストデータとして付加され、このテキストデータにクイズ問題として使用することのできる出演者の名前や簡単なストーリや映画であれば監督名のデータ等が含まれている。
【００３６】
内部データベースＤＢは、主に、映画監督名、役者名、スポーツ選手名などの人名情報がその職業分類に対応づけられて格納されている。
【００３７】
クイズ問題を作成するアルゴリズムは幾つかの種類があり、それらにより複数種類のクイズ問題が作成される。
【００３８】
１つ目のアルゴリズムは、映画やドラマなどの個々の放送番組を問題対象として、その監督名や出演者名を当てるクイズを作成するものである。このアルゴリズムによれば、先ず、番組表データの中からジャンルが映画又はドラマの番組情報が抽出され、その放送番組が問題の対象とされる。そして、ジャンルが映画であれば番組情報の中から「監督」や「出演」などの単語を検索し、これらの単語に続くテキストを抽出する。ドラマであれば「出演」などの単語を検索し、これらの単語に続くテキストデータを抽出する。次いで、抽出したテキストデータを内部データベースＤＢの人名情報と照合して、この番組タイトルの監督の名称や出演者の名称を特定する。また、内部データベースから異なる監督の名称や役者名を外れ解答の選択肢として選び出す。そして、この番組タイトルのデータと監督名や役者名のデータとから、図３（ｂ）に示したような映画やドラマの監督や出演者を三択で問うクイズ問題を生成する。
【００３９】
このように、クイズ問題を内部データベースＤＢのデータと照合しながら作成することで、番組表情報の中に含まれるテキストの羅列データをもとに正確で妥当なクイズ問題を簡単に生成できるようになっている。
【００４０】
２つ目のアルゴリズムは、複数の番組を問題対象として出演者などの統計をとり、その統計内容をクイズ問題とするものである。このアルゴリズムでは、先ず、番組表データの中から或るジャンル（例えばバラエティのジャンル）の番組情報を全て抽出し、その番組説明のテキストデータの中から「出演」の単語を検索し、この単語に続くテキストデータを抽出する。次いで、抽出したテキストデータを内部データベースＤＢのタレント名の情報と照合して、抽出したバラエティ番組の番組情報に含まれるタレント名を全て抽出する。そして、このらのタレント名の個数を集計して、１番多く出てくるタレント名と、例えば２番目と３番目のタレント名を特定する。そして、これらのデータから「番組表にあるバラエティ番組の欄に載っているタレント名で一番多いのは誰」と云った問題や「二番目に多いのは誰」と云った問題文、並びに、３つの選択肢とからなる三択クイズ問題を生成する。
【００４１】
なお、このアルゴリズムを、特に放送番組のジャンルに関係なく行ったり（図３（ｃ）の問題参照）、他のジャンルで行ったりして、問題のパターンを増やすことが出来る。また、選択肢のうち不正解となる選択肢の人名を内部データベースの中から取り出すように変更することも出来る。
【００４２】
３つ目のアルゴリズムは、個々の番組を問題対象として、番組の出演者名や内容文（ストーリ）の一部とから、番組タイトルを当てるクイズを作成するものである。このアルゴリズムでは、先ず、番組表データの中から１つの番組情報を抽出して、その放送番組を問題の対象とする。そして、この番組情報の中から「出演」などの単語を検索し、この単語に続くテキストを抽出し、内部データベースＤＢと照合してこの番組の出演者を特定する。さらに、この番組情報の中から「内容」などの単語を検索し、この単語に続くテキストから所定文字数の文を抽出する。さらに、番組表データの中から同一ジャンルのその他の番組タイトルを２個抽出する。そして、これらのデータから、「出演者＊＊＊＊、内容・・・＊＊＊・・・の番組名は？」と云った問題文と、当たりと外れを含む３つの番組タイトルの選択肢とからなる三択のクイズ問題を生成する。
【００４３】
デジタル放送受信装置１では、上記のようなアルゴリズムを用いて例えば番組表面白データクイズの実行開始時や番組表データの更新時などにクイズ問題を生成し、上述した番組表面白データクイズにおいて出題するようになっている。
【００４４】
このように、それぞれの放送番組を個別に題材にしたクイズ問題により、ユーザはその時々の放送番組について知識を深めながらクイズを楽しむことが出来るし、複数の放送番組をまとめて１つの題材にしたクイズ問題により、ユーザはその時々の放送番組を色々な角度から総合的にみた情報について知識を深めながらクイズを楽しむことが出来る。これらにより、飽きのこない興趣性を付加することが出来る。
【００４５】
次に、外部サーバ５０によりクイズゲームの解答結果に基づいて提供される情報サービスについて説明する。
【００４６】
本発明の実施の形態のデジタル放送受信装置１では、上述の番組表面白ゲーム処理でステップＳ７の結果集計を行う際に、そのクイズ問題に関する情報、および、その解答結果「当たり／はずれ」の情報とが、先ず、不揮発性メモリ２２の所定領域に蓄えられるようになっている。ここで蓄えられるクイズ問題に関する情報とは、そのクイズ問題が個々の番組を題材としている場合には、その題材となった番組の「タイトル」、「ジャンル」、「放送日時」、正解の選択肢となった「正解キーワード」等であるし、そのクイズ問題が複数の番組をまとめて１つの題材としている場合には、複数の番組を選定する条件となった「ジャンル」や「キーワード」、正解の選択肢となった「正解キーワード」等である。
【００４７】
そして、これらのクイズ問題に関する情報および解答結果の情報は、不揮発性メモリ２２に蓄えられた後、ネットワーク接続部２４を介して外部サーバ５０に送られるようになっている。送信されるタイミングは、例えば所定期間（例えば１日や１週間）毎としたり、或いはクイズゲームを実行する毎など、種々のタイミングとして良い。
【００４８】
また、これらの情報が送信される際には、ユーザＩＤやパスワードを用いたユーザ認証を経て外部サーバ５０とデータ通信可能にされるため、外部サーバ５０ではこれらの情報が何れのユーザ（或いは何れの放送受信装置）から送信されてきたものかが認識されるようになっている。
【００４９】
外部サーバ５０側では、これらの情報からユーザの放送番組に関する嗜好を推定する処理（この処理により嗜好推定手段が構成される）が行われる。この推定処理は次のように行われる。すなわち、ユーザの嗜好に合ったものか否かの判断基準として、正解の解答が得られたクイズ問題に対しては、このクイズ問題の題材とされた放送番組やキーワードがユーザの嗜好に合っており、不正解の解答が得られたクイズ問題に対しては、このクイズ問題の題材とされた放送番組やキーワードがユーザの嗜好から外れたものという基準を採用する。そして、送られてきたクイズ問題に関する情報（「タイトル」、「ジャンル」、「正解キーワード」等）のそれぞれについて、ユーザの解答が正解であれば「＋１」、ユーザの解答が不正解であれば「−１」のように集計をとる。そして、この集計値が多いものをユーザの嗜好にあったものとして推定する。
【００５０】
そして、上記のような処理によりユーザの嗜好を推定したら、このユーザ嗜好に基づきユーザ嗜好に合った個人向けのサービス情報が編集されて、この個人向けサービス情報がデジタル放送受信装置１に送信されるようになっている。
【００５１】
サービス情報は、ユーザの嗜好が高いと推定されたキーワードが、監督名や役者名であった場合には、例えば、その監督や役者が関係している新作映画の上映情報、ＤＶＤビデオの発売情報、ドラマの予告情報などが編集される。また、或るジャンルがユーザの嗜好が高いと推定された場合には、例えば、このジャンルの番組情報やこのジャンルに係るテレビとは無関係の広告情報などが編集される。また、このようなサービス情報を送信するタイミングとしては、例えば所定期間（例えば１日や１週間）毎としたり、或いはクイズゲームを実行する毎など、種々のタイミングとして良い。
【００５２】
図６と図７には、上記の個人向けサービス情報の提供形態を表わした画像図を示す。
【００５３】
上記のように送信された個人向けサービス情報は、デジタル放送受信装置１において、次のような幾つかの方法によりテレビ受像装置３０に表示出力されてユーザに提供されるようになっている。この表示出力処理が情報出力手段として機能するものである。
【００５４】
１つめの方法は、図６に示すように、番組表面白データクイズの最中や、その結果表示のときに、表示画面の開いている領域に広告表示枠８１を設けて、その中に上記個人向けサービス情報を表示させるものである。このような方法により、クイズの出題からサービス情報の提供までを、番組表面白データクイズという一つの処理の枠内で行うことが出来るという効果がある。
【００５５】
２つめの方法は、図７に示すように、デジタル放送受信装置１に備わる電子メール受信機能を利用して、電子メールとして個人向けサービス情報を送信するものである。ユーザは、デジタル放送受信装置１において例えばメニュー画面から電子メールの項目を選択することで、図７（ａ）に示すように内部メールとしてサービス情報の受信を確認することが出来る。そして、これを選択することで、図７（ｂ）に示すようにクイズ問題の解答結果や個人向けサービス情報を閲覧することが出来る。
【００５６】
図８には、外部サーバ５０からデジタル放送受信装置１へ提供される情報サービスの他の一例の画像図を示す。
【００５７】
デジタル放送受信装置１においては、ユーザがお好みのキーワード（第１データ）を入力することで、番組表情報の中でそのキーワードの検索が行われ、そのキーワードを含んだ番組情報が一覧表示されるというお好み番組情報出力機能（お好み番組情報出力手段）が備わっている。この実施の形態のデジタル放送受信装置１においては、さらにこの機能を利用して、外部サーバ５０からの情報によりユーザの嗜好に合った番組情報を一覧表示するというサービスの提供が可能になっている。
【００５８】
すなわち、外部サーバ５０で推定されたユーザの嗜好条件が、外部サーバ５０からネットワーク接続部２４を介してデジタル放送受信装置１に送信され、デジタル放送受信装置１の所定の設定項目に入力されることで、デジタル放送受信装置１のお好み番組情報出力機能が働いて、このユーザの嗜好に合った放送番組の一覧が表示されるようにするものである。
【００５９】
具体的には、図８（ａ）に示すように、例えば番組表面白データクイズの結果表示の際に、ユーザの嗜好に合った番組一覧の表示に移行するボタン表示８２がなされ、このボタン表示８２をユーザが選択決定することで、外部サーバ５０により入力設定されたユーザの嗜好を表わしたキーワード（例えば「お笑い」）が、お好み番組情報出力機能の設定項目に設定されて、図８（ｂ）に示すように、このキーワードの検索に引っ掛かった放送番組の一覧表示がなされるようになっている。
【００６０】
以上のように、この実施の形態のデジタル放送受信装置１ならびに外部サーバ５０とデジタル放送受信装置１からなるサービスシステムによれば、元々放送されている番組情報を有効活用して、その時々に放送されるテレビ番組に関連したクイズ問題を出題するといった興趣性のある機能をユーザに提供したり、そのクイズ問題や解答結果の情報等を外部サーバ５０に送信することで、外部サーバ５０においてユーザの嗜好を推定し、その時々に放送されているテレビ番組に絡みつつユーザの嗜好に合ったサービス情報をユーザに提供することが出来るという利点がある。
【００６１】
また、テレビ番組に関する情報として元々放送されている番組情報を利用しているため、サービス提供者のシステムと放送局側のシステムとを完全に独立した構成にすることが出来るし、また、放送局側のシステムの改変も必要ないという利点がある。
【００６２】
なお、本発明は、上記実施の形態に限られるものではなく、様々な変更が可能である。      
【００６３】
例えば、ユーザの嗜好を推定する方法として、クイズ問題のキーワードをそれが関連する年代（例えば８０年代や６０年代など）に換算して、何れの年代について嗜好が高いかを推定すると云った方法を適用しても良い。
【００６４】
また、外部サーバからデジタル放送受信装置へ提供されるサービス情報として、クイズ問題の点数が高ければ付加価値のある情報を送信するなど、点数に応じたサービス情報を提供するようにしても良い。例えば、ユーザの嗜好が高いキーワードとして或る出演者が推定された場合で、クイズ問題の点数が高い場合には、テレビでは見られないその出演者の別の映像や画像を景品として提供するようにしても良い。
【００６５】
その他、クイズ問題の生成方法やクイズ問題の出題の仕方など、実施の形態で具体的に説明した事項は発明の趣旨を逸脱しない範囲で適宜変更可能である。
【図面の簡単な説明】
【００６６】
【図１】本発明の実施の形態のデジタル放送受信装置を示すブロック図である。
【図２】デジタル放送および本発明に係る情報サービスの提供を行うためのシステム構成を示すブロック図である。
【図３】実施の形態のデジタル放送受信装置においてクイズ出題機能中の表示画面の一例を示す画像図である。
【図４】ＣＰＵにより実行されるクイズ出題処理の処理手順を示すフローチャートである。
【図５】番組表データと内部データベースとからクイズを作成する方法を説明する図である。
【図６】外部サーバから提供されるサービス情報の第１の形態例を示す画像図である。
【図７】外部サーバから提供されるサービス情報の第２の形態例を示す画像図である。
【図８】外部サーバから提供されるサービス情報の第３の形態例を示す画像図である。
【符号の説明】
【００６７】
１      デジタル放送受信装置
１０    チューナ
１１    デマルチプレクサ
１２    ビデオデコーダ
１３    音声デコーダ
２０    ＣＰＵ
２１    ＲＡＭ
２２    不揮発性メモリ
２３    操作パネル
２４    ネットワーク接続部
２５    リモコン受光部
２６    リモコン
３０    テレビ受像装置
４０    放送局
５０    外部サーバ
【図１】
2006245971.tif 000003
【図２】
2006245971.tif 000004
【図３】
2006245971.tif 000005
【図４】
2006245971.tif 000006
【図５】
2006245971.tif 000007
【図６】
2006245971.tif 000008
【図７】
2006245971.tif 000009
【図８】
2006245971.tif 000010